(57)【要約】      （修正有）【課題】正確な本人確認が必要な場面において、身分証明書の記載事項と身分証明書提示者との照合では検出できない精巧な身分証明書の偽造に対し、これを検出する手段を提供する。【解決手段】身分証明書表面の偽造は容易であるが、身分証明書に内蔵されたＲＦＩＤの偽造は困難であることから、ＲＦＩＤ付身分証明書の記載事項と身分証明書提示者の顔情報および身分証明書に内蔵されたＲＦＩＤの内部情報を照合して検証することで身分証明書の正当性を判断できる。具体的には、身分証明書記載事項読取装置１ｃ、顔撮影装置１ｄおよびＲＦＩＤ読取装置１ｂにより前記の記載事項と顔情報およびＲＦＩＤの内部情報を一挙に取得し、真贋判定手段２ｈにより身分証明書の正当性を計算する。また取得した記載事項と顔情報とＲＦＩＤの内部情報および前記計算結果を出力装置３ａに同時に並べて表示し、人間による身分証明書の正当性の最終判断を行う。【選択図】図１
0003162391.tif 000002
【実用新案登録請求の範囲】
【請求項１】
ＲＦＩＤ読取装置、スキャナ等による身分証明書記載事項読取装置および顔撮影装置から構成される身分証明書提示端末であって、ＲＦＩＤ読取装置上に提示されたＲＦＩＤ付身分証明書の記載事項を前記の身分証明書記載事項読取装置が撮影できる位置に設置されているものであり、顔撮影装置は身分証明書提示者の顔を撮影できる位置に設置されているものであって、端末外部に各装置が読み取った情報を伝送できる身分証明書提示端末。
【請求項２】
請求項１に記載の身分証明書提示端末が１台以上接続され、身分証明書提示端末が読み取ったＲＦＩＤの内部情報を抽出する手段および記憶する手段、身分証明書の記載事項から文字情報を抽出する手段および記録する手段、身分証明書から顔写真情報を抽出する手段および記録する手段、および身分証明書提示者の顔情報を抽出する手段および記録する手段を備えた身分証明情報処理装置であって、ＲＦＩＤの内部情報のうち文字情報と身分証明書の記載事項とを照合する手段とＲＦＩＤの内部情報のうち顔写真情報と身分証明書表面の顔写真情報および身分証明書提示者の顔情報を照合する手段を備え、前記の照合の結果を用いて身分証明書の正当性を計算する身分証明情報処理装置。
【請求項３】
請求項２に記載の身分証明情報処理装置と接続され、身分証明情報処理装置からＲＦＩＤの内部情報と身分証明書の記載事項および写真および撮影された身分証明書提示者の顔情報および正当性計算の結果を身分証明情報処理装置から受け取って、並べて表示するディスプレイ等による出力装置。
【請求項４】
請求項２に記載の身分証明情報処理装置と接続された通報装置であって、ＲＦＩＤ付身分証明書正当性確認システム外部に不正な身分証明書の使用を検出したことを伝える通報装置。
【請求項５】
請求項１に記載の身分証明書提示端末、請求項２に記載の身分証明情報処理装置および請求項３に記載の出力装置、あるいは前記のものに請求項４に記載の通報装置を加えたものから構成されるＲＦＩＤ付身分証明書正当性確認システム。
【考案の詳細な説明】
【技術分野】
【０００１】  本考案は提示されたＲＦＩＤ付身分証明書の正当性の検証システムに関し、身分証明書に内蔵されたＲＦＩＤ、身分証明書の記載事項および身分証明書提示者の顔情報を照合することで本人確認の精度を向上させるものに関する。
【背景技術】
【０００２】  近年の画像読取技術、画像編集技術および印刷技術の発展により、さまざまな書類・画像を精度よく複製し編集し印刷することができるようになった。これを背景とし、運転免許証などの身分証明書の表面を複製し改造したものと貼り替えて偽造することが容易となっている。前記の手法による表面の偽造は印刷技術等の発展に伴い目視での真贋判別が困難なほど精巧になり、警察官であっても区別ができないものも現れている。
一方で、運転免許証や旅券は記載事項に加えて内部にＲＦＩＤを持ち、そこにも情報を保持するようになった。表面の偽造は容易であるが、ＲＦＩＤの偽造は困難であり、前記ＲＦＩＤの情報を参照することで身分証明書の真贋を精度よく判別することができる。ただし、身分証明書の記載事項とＲＦＩＤの内部情報との比較だけでは他人の身分証明書の盗用は検出できない。
正当な身分証明書が正規の持ち主により行使されていることを確認する場合、身分証明書の記載事項と身分証明書提示者の顔情報およびＲＦＩＤの内部情報を利用することでこれまで以上に身分証明書の不正な利用を防ぐことができるが、現時点では前記の情報を組み合わせて身分証明書の正当性を判断する装置や考案は出回っていない。
【考案の概要】
【考案が解決しようとする課題】
【０００３】  本考案は身分証明書による本人確認における前記の偽造に対する脆弱性を鑑みてなされたものであり、その目的は身分証明書の記載事項と身分証明書提示者の顔情報とＲＦＩＤの内部情報とを一度に取得し、またそれらを同時に提示することで身分証明書の不正な利用および表面の偽造を検出する手段を提供することにある。
【課題を解決するための手段】
【０００４】  本考案では、ＲＦＩＤ読取装置、身分証明書記載事項読取装置および、身分証明書提示者の顔を撮影する装置を備えた身分証明書提示端末と、同端末と接続された身分証明情報処理装置、および出力機構からなるシステムであって、前記端末にＲＦＩＤ付身分証明書が提示されると、前記ＲＦＩＤ読取装置がＲＦＩＤの内部情報を読み取り、前記身分証明書記載事項読取装置が身分証明書の記載事項を読み取り、前記撮影装置が身分証明書提示者の顔を撮影し、前記の情報を前記身分証明情報処理装置に送信し、身分証明情報処理装置は受け取った情報から身分証明書の正当性を計算し、前記の計算の結果と前記の情報をディスプレイ等の出力装置に並べて表示する一連のシステムで目的を実現する。
【考案の効果】
【０００５】  本考案の効果として、本考案は身分証明書提示端末に提示されたＲＦＩＤ付身分証明書の記載事項とＲＦＩＤの内部情報および身分証明書提示者の顔情報を出力装置に並べて表示することで、前記の情報が一致しているかどうかを容易に確認可能とする。表面の偽造であれば身分証明書の記載事項あるいは身分証明書提示者の顔情報もしくはその両方とＲＦＩＤの内部情報に不一致が生ずるので、表面のみを目視する場合に比べこのシステムでは身分証明書の正当性をより精度よく判断できるようになる。
また、これまでどおりの身分証明書の記載事項と身分証明書提示者の顔情報を比較することもできるので、身分証明書の盗用も防ぐことができる。【０００６】  契約場面において、表面を偽造した身分証明書が提示された場合、偽造を看破できず架空の相手に対して契約を結ばされてしまい、代金が回収できず損失になることが考えられる。前記の場合であっても本考案は、身分証明書が提示された段階で偽造を看破できるため、不正な契約を結ばされることがなく、そのために代金回収不能による損失が発生しなくなる。また、不正に開設された口座を利用したマネーロンダリングの防止などに対しても、口座を不正に開設することが困難になるため有効な対策となる。【０００７】  身分証明書提示端末を身分確認が必要とされる箇所に設置し、従来の身分確認の代替として前記端末にＲＦＩＤ付身分証明書の提示を求めることで、これまでの身分証明書の記載事項と身分証明書提示者の顔情報の２項目による確認からそれにＲＦＩＤの内部情報を加えた３項目による確認に強化し、身分証明書表面の偽造を看破できるようになる。
【図面の簡単な説明】
【０００８】
【図１】身分証明書正当性確認システムの処理ブロック図
【図２】身分証明書正当性確認の判断の概観図
【考案を実施するための形態】
【０００９】  図１、図２を参照しながら本考案を実施するための形態について説明する。
【００１０】  本考案のシステムには、ＲＦＩＤ付身分証明書を受け付ける身分証明書提示端末１と、身分証明書提示端末１により取得した情報を処理する身分証明情報処理装置２と、身分証明情報処理装置２による処理結果を表示する出力機構３が存在し、また本考案のシステムに身分証明書を提示して身分証明をしようとする身分証明書提示者６と提示者に対して身分証明を要求し、出力装置３ａの表示内容４を見て身分証明書の正当性について最終判断を下す管理者７が存在する。
【００１１】  身分証明書提示端末１はＲＦＩＤ読取装置１ｂと身分証明書記載事項読取装置１ｃと身分証明書提示者の顔を撮影する顔撮影装置１ｄを備えた一体型の端末である。前記端末は身分証明書の正当性判断に必要な情報を一挙に取得するためのものである。ＲＦＩＤ読取装置１ｂはＲＦＩＤの内部情報を、身分証明書記載事項読取装置１ｃは身分証明書の記載事項を、顔撮影装置１ｄは身分証明書提示者６の顔情報を同時にそれぞれ取得できる位置に配置し、情報を取得すると身分証明情報処理装置２に伝送する。
【００１２】  身分証明情報処理装置２は身分証明書提示端末１とインターネット等により接続され、身分証明書提示端末１から伝送された前記身分証明書の正当性確認に必要な情報を受信し、ＲＦＩＤの内部情報をＲＦＩＤ読取情報抽出手段２ｃにより抽出し、身分証明書の記載事項を文字情報抽出手段２ａにより抽出し、身分証明書の顔写真情報を顔写真情報抽出手段２ｂにより抽出し、また身分証明書提示者の顔情報を顔情報抽出手段２ｄにより抽出し、前記の情報をもとに真贋判定手段２ｈにより身分証明書の正当性を計算する。
【００１３】  また、前記正当性計算に用いたＲＦＩＤの内部情報をＲＦＩＤ読取情報記憶手段２ｅに、身分証明書の記載事項と顔写真情報を身分証明書記載事項記憶手段２ｆに、身分証明書提示者の顔情報を顔情報記憶手段２ｇにそれぞれ記録し、前記の情報と前記正当性の計算の結果を出力装置３ａに送る。
【００１４】  出力装置３ａの表示内容４について説明する。
前記出力装置から送られたＲＦＩＤ読取結果４ｂと身分証明書記載事項読取結果４ａおよび顔撮影結果４ｃおよび真贋判定手段２ｈによる正当性計算結果４ｄを同一画面に表示する。
【００１５】  通報装置３ｂは身分証明書提示端末１およびＲＦＩＤ付身分証明書正当性確認システムの外部に通報を行うものである。
内部で異常が起きていることをパトライト・音響等で示すものや警察等への通報等個々の実施事例ごとに必要とされるものが選択されてよい。また複数の通報装置を備えていてもよい。
【符号の説明】
【００１６】１  ：身分証明書提示端末
１ａ：開始制御装置
１ｂ：ＲＦＩＤ読取装置
１ｃ：身分証明書記載事項読取装置
１ｄ：顔撮影装置
２  ：身分証明情報処理装置
２ａ：文字情報抽出手段
２ｂ：顔写真情報抽出手段
２ｃ：ＲＦＩＤ読取情報抽出手段
２ｄ：顔情報抽出手段
２ｅ：ＲＦＩＤ読取情報記憶手段
２ｆ：身分証明書記載事項記憶手段
２ｇ：顔画像記憶手段
２ｈ：真贋判定手段
３  ：出力機構
３ａ：出力装置
３ｂ：通報装置
４  ：ディスプレイ
４ａ：身分証明書記載事項読取結果
４ｂ：ＲＦＩＤ読取結果
４ｃ：顔撮影結果
４ｄ：正当性計算結果
５  ：身分証明書
６  ：身分証明書提示者
７  ：管理者
【図１】
0003162391.tif 000003
【図２】
0003162391.tif 000004